(57)【要約】      （修正有）【課題】外観意匠性を確保しつつ、本体に取り付けられた対象部材を容易に取り外すことができる取付構造を提供する。【解決手段】吐水装置は、吐水口２１が形成される吐水プレート２０を対象部材として本体に取り付けるための取付構造５０を備え、取付構造５０は、吐水プレート２０におけるネジの軸部が差し込まれる差込孔５２の周囲に、ネジを差し込む差込方向に対して交差する方向に切欠き部５３が形成され、吐水プレート２０は、締結されたネジの座面が接触する凹部５１を有し、切欠き部５３は、凹部５１における差込孔５２の周囲に形成される。【選択図】図５
2015175167.tif 000002
【特許請求の範囲】
【請求項１】
締結部材によって本体に対象部材を取り付けるための取付構造であって、
前記対象部材における前記締結部材が差し込まれる差込孔の周囲又は前記本体における締結部材が締結される締結箇所に、前記締結部材を差し込む差込方向に対して交差する方向に切欠き部が形成される取付構造。
【請求項２】
前記対象部材は、締結された前記締結部材の座面が接触する凹部を有し、
前記切欠き部は、前記凹部における前記差込孔の周囲に形成される請求項１に記載の取付構造。
【請求項３】
前記対象部材は、吐水口が形成される吐水部材である請求項１又は２に記載の取付構造を備える吐水装置。
【発明の詳細な説明】
【技術分野】
【０００１】
本発明は、締結部材によって本体に対象部材を取り付けるための取付構造に関する。
【背景技術】
【０００２】
締結部材によって本体に対象部材（例えば、吐水口が形成される吐水部材等）を取り付けるための取付構造を備える吐水装置が従来から知られている。この種の取付構造を備えた吐水装置を開示するものとして、例えば、特許文献１がある。特許文献１には、段落００２４等に、プレート部に形成される穴にビスを通して吐水装置本体に螺合させることにより、吐水部が吐水装置本体に取り付けられる構造が開示されている。
【先行技術文献】
【特許文献】
【０００３】
【特許文献１】特許第４１５４７３３号公報
【発明の概要】
【発明が解決しようとする課題】
【０００４】
ところで、メンテナンス等を行うために、一度取り付けられた対象部材を本体から取り外すことがある。特許文献１に開示される取付構造の場合では、ビスを取り外した後、吐水装置本体の下面から突出する吐水部を掴んで取り外し作業を行うことができる。しかし、この種の吐水部材は吐水装置に隙間なく取り付けられているため、吐水部材が本体に嵌り込んで、取り外し作業に手間取ることがある。また、吐水部材が吐水装置の本体に完全に埋め込まれた状態で取り付けられており、吐水部材を掴むことができない場合もある。このような場合に、ドライバー等の工具を吐水装置の本体と吐水部材の隙間に差し入れて取り外し作業を行うことがあるが、工具を差し入れるための隙間や工具を引っ掛ける箇所を予め本体に形成しておく必要があり、これらの隙間や工具を引っ掛ける箇所が本体の外観に影響を与える場合があった。
【０００５】
本発明は、外観意匠性を確保しつつ、本体に取り付けられた対象部材を容易に取り外すことができる取付構造を提供することを目的とする。
【課題を解決するための手段】
【０００６】
（１）上記目的を達成するため本発明は、締結部材（例えば、後述のネジ６０）によって本体（例えば、後述の本体１０）に対象部材（例えば、後述の吐水プレート２０）を取り付けるための取付構造（例えば、後述の取付構造５０）であって、前記対象部材における前記締結部材が差し込まれる差込孔（例えば、後述の差込孔５２）の周囲又は前記本体における締結部材が締結される締結箇所に、前記締結部材を差し込む差込方向に対して交差する方向に切欠き部（例えば、後述の切欠き部５３）が形成される取付構造を提供する。
【０００７】
これにより、ドライバー等の工具（例えば、後述の工具８０）を差し込むことができる切欠き部が締結部材の差込孔の周囲又は本体の締結箇所に形成されるので、締結部材で締結しているときは、切欠き部が締結部材又は対象部材によって外部から隠された状態になり、外観意匠性が確保される。対象部材を本体から取り外すときは、締結部材の締結を解除した後に外部に露出する切欠き部に工具を差し込んで対象部材を本体から容易に取り外すことができる。
【０００８】
（２）前記対象部材は、締結された前記締結部材の座面（例えば、後述の座面６２）が接触する凹部（例えば、後述の凹部５１）を有し、前記切欠き部は、前記凹部における前記差込孔の周囲に形成されることが好ましい。
【０００９】
これにより、外観意匠性を確保したまま、取り外し作業を容易に行うことができる取付構造を、対象部材の凹部に切欠き部を形成するという簡素な構成で実現できる。
【００１０】
（３）また、本発明は、前記対象部材は、吐水口（例えば、後述の吐水口２１）が形成される吐水部材（例えば、後述の吐水プレート２０）である吐水装置（例えば、後述の吐水装置１）を提供する。
【００１１】
これにより、外観意匠性を確保しながら、メンテナンス等のために吐水部材を本体から容易に取り外すことができる吐水装置を提供できる。
【発明の効果】
【００１２】
本発明の取付構造によれば、外観意匠性を確保しつつ、本体に取り付けられた対象部材を容易に取り外すことができる。
【図面の簡単な説明】
【００１３】
【図１】本発明の一実施形態に係る吐水装置を下面側からみた様子を示す斜視図である。
【図２】吐水装置の本体に吐水プレートが締結部材によって取り付けられる様子を示す分解斜視図である。
【図３】吐水装置の本体に取り付けられた吐水プレートの様子を示す拡大図である。
【図４】吐水装置の本体に取り付けられた吐水プレートの様子を示す拡大側面図である。
【図５】吐水プレートの様子を示す平面図である。
【図６】吐水プレートに形成される凹部の様子を示す拡大図である。
【図７】吐水装置の本体に取り付けられた吐水プレートの凹部近傍の様子を模式的に示す断面図である。
【図８】工具を用いて吐水プレートを取り外す様子を示す斜視図である。
【図９】変形例の吐水装置の本体に取り付けられた吐水プレートの凹部近傍の様子を模式的に示す断面図である。
【図１０】変形例の吐水装置の本体に取り付けられた吐水プレートの凹部近傍の様子を模式的に示す断面図である。
【発明を実施するための形態】
【００１４】
以下、本発明の吐水装置の好ましい実施形態について、図面を参照しながら説明する。図１は、本発明の一実施形態に係る吐水装置１を下面側からみた様子を示す斜視図である。図２は、吐水装置１の本体１０に吐水プレート２０が締結部材としてのネジ６０によって取り付けられる様子を示す分解斜視図である。なお、以下の説明において、差込方向とは、ネジ６０を吐水装置１の本体１０に差し込む方向（ネジ６０の軸方向）のことである。
【００１５】
まず、吐水装置１の全体構成について説明する。図１に示すように、吐水装置１は、本体１０と、切替ハンドル１１と、温度調節ハンドル１２と、吐水プレート２０と、取付構造５０と、を備える。
【００１６】
本体１０は、外部から湯が供給される配管と、水が供給される配管と、がその背面にそれぞれ接続されている。本実施形態の本体１０は、その背面に、接続される配管を覆う配管カバー１３，１４を備える。配管はこの配管カバー１３，１４の内部空間を通って本体１０に接続される。本実施形態では、本体１０が配管を介して壁面に支持される形で、吐水装置１が浴室等の壁に取り付けられる。
【００１７】
本体１０の内部には、配管を介して送られてきた湯水を混合して後述する吐水口２１から吐水するための流路が形成されている。本実施形態では、本体１０の流路は、図略のシャワー部へも湯水が供給可能に形成される。
【００１８】
図２に示すように、本体１０には、後述の吐水プレート２０を取り付けるための取付部７０が形成されている。取付部７０は、吐水プレート２０をはめ込むための嵌合孔７１と、締結部材としてのネジ６０を締結するために嵌合孔７１の両側に配置されるネジ孔７２と、を備える。
【００１９】
切替ハンドル１１は、給水先を吐水装置１の吐水口２１かシャワー部かのいずれかに切り替えるためのものであり、本体１０の一側の側面に配置されている。吐水装置１の使用者は、この切替ハンドル１１によって、湯水の出し止めや吐水される水量の調節を行う。
【００２０】
温度調節ハンドル１２は、吐水される湯水の温度を調節するものであり、本体１０の切替ハンドル１１が配置された面とは反対の側面に配置される。本実施形態の吐水装置１は、使用者が用途に応じて湯水の温度調節が可能な混合水栓であり、例えばサーモスタット混合水栓式等、適宜の方式が採用される。
【００２１】
吐水プレート２０は、その中央に吐水口２１が形成されており、本体１０の下面に取り付けられている。吐水プレート２０は、本体１０の流路の終端に配置されており、配管を介して本体１０に供給された湯水は吐水口２１によって滝状に整形される。
【００２２】
取付構造５０は、対象部材としての吐水プレート２０を吐水装置１の本体１０に取り付けるためのものである。吐水プレート２０及び取付構造５０の詳細について説明する。図３は、吐水装置１の本体１０に取り付けられた吐水プレート２０の様子を示す拡大図である。図４は、吐水装置１の本体１０に取り付けられた吐水プレート２０の様子を示す拡大側面図である。図５は、吐水プレート２０の様子を示す平面図である。図６は、吐水プレート２０に形成される凹部５１の様子を示す拡大図である。図７は、吐水装置１の本体１０に取り付けられた吐水プレート２０の凹部５１近傍の様子を模式的に示す断面図である。なお、以下の説明において、本体１０に取り付けられた状態の吐水プレート２０における外部に露出する面を表面とし、この表面に反対の面を裏面として説明する。
【００２３】
吐水プレート２０の詳細な構成について説明する。図３〜図５に示すように、吐水プレート２０は、プレート本体３０と、吐水口２１と、環状部２３と、整流網２４と、凹部５１と、を備える。
【００２４】
プレート本体３０は、細長の板状に形成されている。吐水口２１は、このプレート本体３０の平面部分の中央に細長の楕円状に形成される。
【００２５】
図４に示すように、環状部２３は、プレート本体３０の裏面に配置される。環状部２３は、吐水口２１より一回り大きい筒状に形成され、その断面形状が細長の楕円になっている。環状部２３の内部空間は、吐水口２１に連通しており、本体１０の流路から送られてきた湯水はこの環状部２３を通って吐水口２１に到達するようになっている。環状部２３には、シール部材としてのＯリング１８が取り付けられる取付溝４０がその外周面の全周にわたって形成される。吐水プレート２０は、Ｏリング１８を取付溝４０に取り付けた状態で、本体１０に固定される。
【００２６】
整流網２４は、吐水口２１から流れる湯水を整流するためのものであり、吐水口２１を覆うように環状部２３の内周面に支持される。
【００２７】
図２及び図５に示すように、凹部５１は、吐水口２１の長手方向における両側に２つ配置されており、プレート本体３０の表面に円形の凹状に形成される。
【００２８】
次に、取付構造５０の各構成について説明する。図６に示すように、本実施形態の取付構造５０は、前述の凹部５１と、差込孔５２と、切欠き部５３と、を備える。凹部５１の径は、締結されるネジ６０の頭部６３の径よりも僅かに大きい径で形成されている。従って、図３に示すように、ネジ６０を締結した状態ではネジ６０の頭部６３によって凹部５１の底面が隠れる状態となる。
【００２９】
図６に示すように、差込孔５２は、凹部５１の底面の中央に貫通状の孔として形成されており、この差込孔５２にネジ６０の軸部６１が差し込まれる。差込孔５２は、その径がネジ６０の軸部よりも僅かに大きい円形に形成されている。
【００３０】
図６及び図７に示すように、切欠き部５３は、差込孔５２の内周面より外側まで径方向（差込方向に直交する方向）に一定の幅で延びるように形成される。また、切欠き部５３は、吐水プレート２０が本体１０に取り付けられた状態では、本体１０の壁側（基端側）に延びるように形成されている。切欠き部５３は差込孔５２に連通されており、この切欠き部５３によって、吐水プレート２０を本体１０から取り外すときに工具８０の先端を本体１０側に差し入れることが可能になっている。本実施形態の切欠き部５３は、その幅が差込孔５２の直径よりも僅かに小さくなっており、ネジ６０を差し込む方向である差込方向で見たときに鍵孔状の形状となっている。
【００３１】
吐水プレート２０の本体１０への取付作業を説明する。図２に示すように、まず、吐水プレート２０の環状部２３を本体１０の取付部７０の嵌合孔７１に嵌め込む。次に、吐水プレート２０に形成される凹部５１の差込孔５２にネジ６０の軸部６１を挿通し、ネジ６０の座面６２が凹部５１の底面に接触するまでネジ６０を本体１０のネジ孔７２に螺合させる。図３に示すように、ネジ６０によって、吐水プレート２０を本体１０に締結した状態では、差込孔５２とともに切欠き部５３もネジ６０の頭部６３に隠れた状態となる。これによって、吐水プレート２０は本体１０に対して隙間なく固定された状態となる。また、図４に示すように、吐水プレート２０が本体１０に取り付けられた状態では、プレート本体３０の表面と本体１０の下面とが略同一平面状になる。
【００３２】
吐水プレート２０の本体１０からの取り外し作業について説明する。図８は、工具８０を用いて吐水プレート２０を取り外す様子を示す斜視図である。まず、吐水口２１の両側に配置される凹部５１からネジ６０を取り外す。ネジ６０を外しても、吐水プレート２０は本体１０の取付部７０に環状部２３が嵌ったままの状態で本体１０に保持される。図８に示すように、ネジ６０を凹部５１から取り外すと、差込孔５２とともに切欠き部５３が外部に露出する。この状態で、工具８０の先端を切欠き部５３に差し込み、本体１０の取付部７０の内面と吐水プレート２０の裏面との間に工具８０の先端を差し込んで、テコの原理を用いて本体１０から吐水プレート２０を離間させる方向に力を作用させる。これにより、吐水プレート２０が取付部７０から離間し、吐水プレート２０の取り外し作業が完了する。吐水プレート２０の表面と本体１０の下面とが略同一平面にあって、吐水プレート２０を掴めないような場合であっても、本実施形態の取付構造５０によって、吐水プレート２０を本体１０から容易に取り外すことができる。
【００３３】
以上説明した本実施形態の取付構造５０によれば、以下のような効果を奏する。
本実施形態の取付構造５０は、吐水プレート２０におけるネジ６０の軸部６１が差し込まれる差込孔５２の周囲に、ネジ６０を差し込む差込方向に対して交差する方向に切欠き部５３が形成される。これにより、ドライバー等の工具８０を差し込むことができる切欠き部５３がネジの差込孔５２の周囲に形成されるので、ネジ６０で締結しているときは、切欠き部５３がネジ６０によって外部から隠された状態になり、外観意匠性が確保される。吐水プレート２０を本体１０から取り外すときは、ネジ６０の締結を解除した後に外部に露出する切欠き部５３に工具８０を差し込んで本体１０から吐水プレート２０を容易に取り外すことができる。
【００３４】
吐水プレート２０は、締結されたネジの座面６２が接触する凹部５１を有し、切欠き部５３は、凹部５１における差込孔５２の周囲に形成される。これにより、外観意匠性を確保しつつ取り外し作業を容易に行うことができる取付構造５０を、凹部５１に切欠き部５３を形成するという簡素な構成で実現できる。
【００３５】
また、本実施形態の吐水装置１は、吐水口２１が形成される吐水プレート２０を対象部材として本体１０に取り付けるための取付構造５０を備える。これにより、外観意匠性を確保しながら、メンテナンス等のために吐水プレート２０を本体１０から容易に取り外すことができる。例えば、本実施形態の吐水プレート２０は、整流網２４を備える構成であるが、この整流網２４にたまった付着物を除去しなければならないような場合がある。このような場合でも、本実施形態の取付構造５０によって容易に吐水プレート２０を本体１０から取り外すことができる。吐水プレート２０が本体１０に取り付けられた状態では、ネジ６０によって切欠き部５３は外部から隠れた状態となるので、吐水装置１の美観も損なわれない。
【００３６】
以上、本発明の吐水装置１の好ましい実施形態につき説明したが、本発明は、上述の実施形態に制限されるものではなく、適宜変更が可能である。上記実施形態の変形例について図９を参照して説明する。図９は、変形例の吐水装置１の本体１０に取り付けられた吐水プレート１２０の凹部５１近傍の様子を模式的に示す断面図である。なお、上記実施形態と同様の構成には同じ符号を付してその説明を省略する。
【００３７】
変形例の吐水プレート１２０は、上記実施形態とは切欠き部１５３が形成される箇所が異なる。図９に示すように、本変形例の吐水プレート１２０が備える切欠き部１５３は、吐水プレート１２０のプレート本体３０の裏面に形成される。この構成では、切欠き部１５３は、プレート本体３０の裏側に形成されるため、ネジ６０を取り外しても外部に露出しない状態になる。このように、吐水プレートにおける切欠き部を形成する場所は、適宜変更可能である。例えば、皿ネジを用いて吐水プレートを本体に固定する場合において、吐水プレートにおける皿ネジの座面が接触する箇所に切欠き部を形成する構成とすることもできる。
【００３８】
上記実施形態では、取付構造５０としての切欠き部５３は、対象部材である吐水プレート２０に形成される構成であるが、切欠き部を対象部材ではなく、吐水装置１の本体１０側に形成することもできる。次に、図１０を参照してネジ６０の締結箇所であるネジ孔７２の周囲に切欠き部を形成する変形例について説明する。図１０は、変形例の吐水装置１の本体２１０に取り付けられた吐水プレート２２０の凹部５１近傍の様子を模式的に示す断面図である。図１０に示すように、本変形例では、切欠き部２５３は、吐水プレート２２０ではなく、本体２１０におけるネジ孔７２の周囲の一部を切り欠いて形成される。この切欠き部２５３は、吐水プレート２２０を取り付けた状態では吐水プレート２２０によって外部に隠れるように構成される。この構成によっても、外観意匠性を確保しつつ、対象部材としての吐水プレート２２０の取り外しが容易な取付構造５０を提供することができる。
【００３９】
また、対象部材に切欠き部を形成するとともに、本体側にも切欠き部を形成する構成とすることもできる。また、本実施形態及び変形例では、切欠き部５３は、差込方向に直交する方向に形成されているが、差込方向に交差する方向であればよく、切欠き部が形成される方向が直交方向に限定されるわけではない。このように、切欠き部の形状や凹部の配置場所等は、本実施形態及び変形例の構成に限定されるわけではなく、適宜変更することができる。
【００４０】
上記実施形態では、本発明に係る取付構造５０を吐水装置１に適用したが、これに限定されず、本体に対象部材を取り付ける必要がある種々の機器に本発明の取付構造は適用可能である。
【符号の説明】
【００４１】
１…吐水装置
１０…本体
２０…吐水プレート
２１…吐水口
５０…取付構造
５１…凹部
５２…差込孔
５３…切欠き部
６０…ネジ
６１…軸部
６２…座面
【図１】
2015175167.tif 000003
【図２】
2015175167.tif 000004
【図３】
2015175167.tif 000005
【図４】
2015175167.tif 000006
【図５】
2015175167.tif 000007
【図６】
2015175167.tif 000008
【図７】
2015175167.tif 000009
【図８】
2015175167.tif 000010
【図９】
2015175167.tif 000011
【図１０】
2015175167.tif 000012